(57)【特許請求の範囲】
【請求項１】
合成布防弾チョッキ下着であって、
使用者の身体の腕部及び胴体上部領域を覆うように構成される伸縮性が低いか又は伸縮性がない布を含む第１の布部分であって、前記防弾チョッキによって防備されないままの第１の身体領域を覆って該防弾チョッキによって覆われ、且つ、胴体上部領域を覆って第２の身体領域にまで延在する、第１の布部分と、
前記防弾チョッキの下で前記使用者の身体の胴体領域であって、第１の布部分で覆われる領域以外の領域を覆うように構成される伸縮可能な布を含む第２の布部分と、
を備える、合成布防弾チョッキ下着。
【請求項２】
前記第１の布部分は伸縮性が低い織布を含む、請求項１に記載の合成布防弾チョッキ下着。
【請求項３】
前記第２の布部分はニット構造を含む、請求項１又は２に記載の合成布防弾チョッキ下着。
【請求項４】
前記第１の布部分は難燃糸又は難燃繊維の何れか一方若しくは両方を含む、請求項１〜３のいずれか一項に記載の合成布防弾チョッキ下着。
【請求項５】
前記難燃糸又は難燃繊維の何れか一方若しくは両方は、メタ系アラミド、メラミン、難燃コットン、難燃ナイロン、難燃処理コットン／ナイロン混紡物、モダクリル繊維、及びそれらの組み合わせから成る群から選択される、請求項４に記載の合成布防弾チョッキ下着。
【請求項６】
前記難燃糸又は難燃繊維の何れか一方若しくは両方は、難燃ポリエステル、難燃レーヨン、及びそれらの組み合わせから成る群から選択される、請求項４に記載の合成布防弾チョッキ下着。
【請求項７】
前記第２の布部分は、合成糸又は合成繊維の何れか一方若しくは両方、天然糸又は天然繊維の何れか一方若しくは両方、並びにそれらの組み合わせから成る群から選択される糸又は繊維の何れか一方若しくは両方を含む、請求項１〜６のいずれか一項に記載の合成布防弾チョッキ下着。
【請求項８】
前記合成糸又は合成繊維の何れか一方若しくは両方は、ナイロン、ポリエステル、ポリプロピレン、及びそれらの組み合わせから成る群から選択される、請求項７に記載の合成布防弾チョッキ下着。
【請求項９】
前記第２の布部分は難燃糸又は難燃繊維の何れか一方若しくは両方を含む、請求項１〜８のいずれか一項に記載の合成布防弾チョッキ下着。
【請求項１０】
前記難燃糸又は前記難燃繊維の何れか一方若しくは両方は、メタ系アラミド、難燃処理コットン、アクリル、及びそれらの組み合わせから選択される、請求項９に記載の合成布防弾チョッキ下着。
【請求項１１】
前記難燃糸又は前記難燃繊維の何れか一方若しくは両方は、モダクリル繊維、難燃ポリエステル、難燃レーヨン、及びそれらの組み合わせから成る群から選択される、請求項９に記載の合成布防弾チョッキ下着。
【請求項１２】
前記第１の布部分又は前記第２の布部分の何れか一方若しくは両方は、炎又は高熱に曝されるときに融解及び滴落に耐性のある糸又は繊維の何れか一方若しくは両方を含む、請求項１〜１１のいずれか一項に記載の合成布防弾チョッキ下着。
【請求項１３】
前記第２の布部分は、コットン、ウール、アクリル、及びそれらの組み合わせから成る群から選択される糸又は繊維の何れか一方若しくは両方を含む、請求項１〜１２のいずれか一項に記載の合成布防弾チョッキ下着。
【請求項１４】
前記第２の布部分は、折れ、しわ、及び膨らみに対する耐性を高めるために、身体にフィットする布の形態のスパンデックスを含む、請求項１〜１３のいずれか一項に記載の合成布防弾チョッキ下着。
【請求項１５】
前記第２の布部分は撥水性の布を含む、請求項１〜１４のいずれか一項に記載の合成布防弾チョッキ下着。
【請求項１６】
前記第２の布部分は片面添え糸編構造を含む、請求項１〜１５のいずれか一項に記載の合成布防弾チョッキ下着。
【請求項１７】
前記片面添え糸編構造は、前記第２の布部分の内側表面を画定するシンカーループ面を含む、請求項１６に記載の合成布防弾チョッキ下着。
【請求項１８】
前記シンカーループ面は、毛羽立てシンカーループ仕上げ、ベロア仕上げ、又はカットループベロア仕上げを有する、請求項１７に記載の合成布防弾チョッキ下着。
【請求項１９】
前記シンカーループ面は、１つ又は複数のループ糸の離散した内側領域を形成し、第１の内パイル高さを有する１つ又は複数の第１の離散した内側領域と、前記第１の内パイル高さよりも相対的に高い対照的な内パイル高さを有する１つ又は複数の他の離散した内側領域とを含む、複数のループ糸の離散した内側領域を画定し、前記１つ又は複数のループ糸の第１の離散した内側領域は、前記１つ又は複数の他の離散した内側領域とともに前記使用者の皮膚と、対向する前記布の内側ベース面との間の空気チャネルを画定し、それによって通気を促進するとともに前記使用者の皮膚との接触点の数を低減する、請求項１７又は１８に記載の合成布防弾チョッキ下着。
【請求項２０】
前記空気チャネルは複数の垂直チャネル、水平チャネル、対角チャネル、又はそれらの組み合わせを含む、請求項１９に記載の合成布防弾チョッキ下着。
【請求項２１】
戦場用衣服システムであって、
防弾チョッキ要素と、チョッキ下着であって、
使用者の腕部及び胴体上部領域を覆うように構成される伸縮性が低い布を含む第１の織布部分であって、前記防弾チョッキ要素によって防備されないままの第１の身体領域を覆って該防弾チョッキ要素によって覆われ、且つ、胴体上部領域を覆って第２の身体部分にまで延在する、第１の織布部分と、
前記防弾チョッキ要素の下で前記使用者の身体の胴体領域であって、第１の布部分で覆われる領域以外の領域を覆うように構成される伸縮可能な布を含む第２の織布部分と、
を備える、チョッキ下着と
を備える、戦場用衣服システム。
【請求項２２】
前記第１の織布部分は、耐久撥水性、カムフラージュ、及び赤外線低減から成る群から選択される布処理について処理される、請求項２１に記載の戦場用衣服システム。
【請求項２３】
前記第２の織布部分は伸縮性材料又は弾性材料の何れか一方若しくは両方の繊維をさらに含む、請求項２１又は２２に記載の戦場用衣服システム。
【請求項２４】
前記第２の織布部分は毛羽立て内側表面を有する、請求項２１〜２３のいずれか一項に記載の戦場用衣服システム。
【請求項２５】
前記毛羽立て内側表面は、１つ又は複数のループ糸の離散した内側領域を形成し、第１の内パイル高さを有する１つ又は複数の離散した内側領域、及び前記第１の内パイル高さよりも相対的に高い対照的な内パイル高さを有する１つ又は複数の他の離散した内側領域を画定し、前記１つ又は複数の第１の離散した内側領域は、前記１つ又は複数の他の離散した内側領域とともに前記使用者の皮膚と、対向する前記布の内側ベース面との間の内側空気チャネルを画定し、それによって通気を促進するとともに前記使用者の皮膚との接触点の数を低減する、請求項２４に記載の戦場用衣服システム。
【請求項２６】
前記第１の内パイル高さは、低いパイル、パイルがない、又はそれらの組み合わせから成る群から選択され、前記対照的な内パイル高さは、高いパイル、低いパイル、又はそれらの組み合わせから成る群から選択される、請求項２５に記載の戦場用衣服システム。
【請求項２７】
前記１つ又は複数の離散した内側領域は、前記使用者の身体の１つ又は複数の所定の領域に対応する、請求項２５又は２６に記載の戦場用衣服システム。
【請求項２８】
防弾チョッキと協働して使用するための戦場用合成布衣服を形成する方法であって、
伸縮性が低いか又は伸縮性がない布から使用者の身体の腕部及び胴体上部領域に対応する第１の布部分を形成するステップであって、該第１の布部分は前記防弾チョッキによって防備されないままの第１の身体領域を覆って該防弾チョッキによって覆われ、且つ、胴体上部領域を覆って第２の身体領域にまで延在するように構成される、第１の布部分を形成するステップと、
伸縮可能な布から前記使用者の身体の胴体領域に対応する第２の布部分を形成するステップであって、該第２の布部分は前記防弾チョッキの下で前記使用者の身体の胴体領域であって、第１の布部分で覆われる領域以外の領域を覆うように構成される、第２の布部分を形成するステップと、
前記第１の布部分と前記第２の布部分とをともに接合するステップであって、それによって前記戦場用合成布衣服を形成する、接合するステップとを含む、
防弾チョッキと協働して使用するための戦場用合成布衣服を形成する方法。
【請求項２９】
前記第２の布部分を形成することは、糸又は繊維の何れか一方若しくは両方を組み合わせることであって、それによって添え糸編ジャージ編物、ダブルニット編物、シングルジャージ編物、添え糸編構造の片面テリーループ編物、又は添え糸編でない構造の片面テリーループ編物を形成する、組み合わせることを含む、請求項２８に記載の防弾チョッキと協働して使用するための戦場用合成布衣服を形成する方法。
【請求項３０】
前記第２の布部分を形成することは、糸又は繊維の何れか一方若しくは両方を組み合わせることであって、それによって添え糸編シンカーループを有する片面添え糸編織物を形成する、組み合わせることを含む、請求項２８に記載の防弾チョッキと協働して使用するための戦場用合成布衣服を形成する方法。
【請求項３１】
前記片面添え糸編織物を形成することは、該片面添え糸編織物の第１の表面を仕上げることであって、それによって１つ又は複数のループ糸の離散した内側領域を形成し、
第１の内パイル高さを有する１つ又は複数の第１の離散した内側領域を形成すること、及び
前記第１の内パイル高さよりも相対的に高い対照的な内パイル高さを有する１つ又は複数の他の離散した内側領域を形成することを含む、仕上げることを含み、
前記１つ又は複数の第１の離散した内側領域は、前記１つ又は複数の他の離散した内側領域とともに前記使用者の皮膚と、対向する前記布の内側ベース面との間の内側空気チャネルを画定し、それによって通気を促進するとともに前記使用者の皮膚との接触点の数を低減する、請求項３０に記載の防弾チョッキと協働して使用するための戦場用合成布衣服を形成する方法。
【請求項３２】
前記１つ又は複数のループ糸の離散した内側領域は、前記使用者の身体の１つ又は複数の所定の領域に対応するパターンに形成される、請求項３１に記載の防弾チョッキと協働して使用するための戦場用合成布衣服を形成する方法。
【発明の詳細な説明】
【技術分野】
【０００１】
本開示は衣服に関し、特に個人が防弾チョッキの下に着用する衣服に関する。
【背景技術】
【０００２】
［背景］
防弾チョッキは、個人が、戦闘及び戦場又は類似の状況において弾道発射体が着用者の身体の被覆された領域に侵入するのを防ぐために使用するものとして既知である。最近では、身体のより多くの表面積を覆う防弾チョッキが開発されている。たとえば、Lewisに対する米国特許第５，０６０，３１４号は、背面パネルと、前面及び左側結合パネルと、前面及び右側結合パネルと、襟と、肩上部とを有する、着用者の腰の３インチ下にまで延在している防弾ジャケットを記載している。Biermann他に対する米国特許第６，３６３，５２７号は、熱伝達を高めるための熱伝導性繊維、及び湿気を身体及び防弾チョッキから遠ざけるための撥水性材料から形成される防弾チョッキを記載している。Crye他に対する米国特許第６，８９２，３９２号は、チョッキの内部に固定され、着用者とチョッキとの間に垂直に延在する複数の空気チャネルを画定するフォームパッドを有する防弾チョッキを記載しており、空気チャネルは着用者の通気及び冷却を促進する。
【発明の開示】
【発明が解決しようとする課題】
【０００３】
［概要］
本開示は、一部には、防弾チョッキの下に着用されて、通気性のある、伸縮可能な、着用者の身体の防弾チョッキによって覆われる領域を覆う内層とともに、耐久性のある、伸縮性が低いか又は伸縮性がない、使用者の身体の防弾チョッキによって防備されないままの領域を覆う外層を提供する、戦場用衣服及び類似の衣服等の衣服に関する。
【課題を解決するための手段】
【０００４】
一態様によれば、合成布防弾チョッキ下着は、第１の布部分と、第２の布部分とを備える。第１の布部分は、使用者の身体の胴体上部領域を覆うように構成される伸縮性が低いか又は伸縮性がない布を含み、第１の布部分は、防弾チョッキによって防備されないままの第１の身体領域を覆って防弾チョッキによって覆われる第２の身体遷移領域にまで延在する。第２の布部分は、防弾チョッキの下で使用者の身体の胴体下部領域を覆うように構成される伸縮可能な布を含む。
【０００５】
この態様の実施態様は、以下の追加の特徴のうちの１つ又は複数を含んでもよい。第１の布部分は伸縮性が低い織布から形成されてもよい。織布は（たとえば、寒冷な気候へ適用するためのもの等、断熱性を高め且つ／又は通気性を低下させるための）二重織構造を含むことができる。伸縮性が低い織布は、合成糸又は合成繊維（たとえば、ポリエステル、ナイロン等）の何れか一方若しくは両方（以下の記述において、「及び／又は」は、何れか一方若しくは両方の意味とする）、天然糸及び／又は天然繊維（たとえば、コットン及び／又はウール）、並びに特殊糸及び／又は特殊繊維（たとえば、メタ系アラミド（E. I. duPont社から商標ＮＯＭＥＸ（登録商標）で市販されているメタ系アラミド等）を含む難燃糸及び／又は難燃繊維、メラミン、難燃コットン、難燃ナイロン、難燃処理コットン／ナイロン混紡物、モダクリル繊維、難燃ポリエステル、難燃レーヨン、並びにそれらの組み合わせ）から成る材料の群から選択される。第１の布部分は、炎又は高温に曝されるときに融解又は滴落に耐性がある糸及び／又は繊維から成ってもよい。第１の布部分は所定の通気性を有し、たとえば、約０ＣＦＭ〜約２００ＣＦＭ、好ましくは約５ＣＦＭ〜約１００ＣＦＭ、より好ましくは約２０ＣＦＭ〜約４０ＣＦＭの範囲の所定の通気性を有する。
【０００６】
第２の布部分は、合成糸及び／若しくは合成繊維（たとえば、ナイロン、ポリエステル、ポリプロピレン、及びそれらの組み合わせ）、天然糸及び／若しくは天然繊維、並びに／又はそれらの組み合わせから形成されてもよい。第２の布部分は、難燃糸及び／又は難燃繊維（たとえば、メタ系アラミド、難燃処理コットン、アクリル、モダクリル繊維、難燃ポリエステル、難燃レーヨン、及びそれらの組み合わせ）から成ってもよい。場合によっては、第２の布部分は、炎又は高熱に曝されるときに融解及び滴落に耐性がある糸及び／又は繊維（たとえば、コットン、ウール、アクリル、及びそれらの組み合わせ）を含む。第２の布部分は、１方向伸縮性又は２方向伸縮性の布から成ってもよい。第２の布部分は、添え糸編ジャージ、ダブルニット、シングルジャージニット、添え糸編構造の片面テリーループ、又は添え糸編でない構造の片面テリーループを有する。場合によっては、添え糸編ジャージ構造はナイロン糸とコットン糸との組み合わせを含むことができ、ナイロン糸は主に布の加工表面（technical face）に見られ、コットン糸は主に布の加工裏面（technical back）に見られる。代替的に、添え糸編ジャージ構造はメタ系アラミド糸（たとえば、ＮＯＭＥＸ（登録商標）糸）とコットン糸との組み合わせを含むことができ、メタ系アラミド糸は主に布の加工表面に見られ、コットン糸は主に布の加工裏面に見られる。第２の布部分は、メタ系アラミド糸の第１のセットとメタ系アラミド糸の第２のセットとの組み合わせを含む添え糸編ジャージ構造を有し、メタ系アラミド糸の第１のセットは主に布の加工表面に見られ、メタ系アラミド糸の第２のセットは主に布の加工裏面に見られる。第２の布部分は、メタ系アラミド糸とウール糸との組み合わせを含む添え糸編ジャージ構造を有し、メタ系アラミド糸は主に布の加工表面に見られ、ウール糸は主に布の加工裏面に見られる。第２の布部分は、ナイロン糸とウール糸との組み合わせを含む添え糸編ジャージ構造を有し、ナイロン糸は主に布の加工表面に見られ、ウール糸は主に布の加工裏面に見られる。好ましくは、第２の布部分は、撥水性の布、たとえばマサチューセッツ州ローレンス所在のMalden Mills Industries社によって製造されるＰＯＷＥＲ  ＤＲＹ（登録商標）織布から成る。スパンデックス糸を第２の布部分に含め、折れ、しわ、及び膨らみに対する耐性を高めたフィットする衣服を形成することができる。汗が第２の布部分の内側表面から第２の布部分の外側表面に流れるのを促すために（すなわち、より良好な水分管理のために）、第２の布部分はデニール勾配（denier gradient）を有し、すなわち布の外側表面では相対的にｄｐｆが細かく、また布の内側表面では相対的にｄｐｆが粗い。第２の布部分は所定の通気性を有し、たとえば、約１００ＣＦＭよりも高い所定の通気性を有してもよい。第２の布部分は片面添え糸編構造を有する。好ましくは、片面添え糸編構造は、第２の布部分の内側表面を画定するシンカーループ面を含む。シンカーループ面は、毛羽立てシンカーループ仕上げ、ベロア（毛羽立て（napped））仕上げ、カットループベロア仕上げ、又は毛羽立てしないループの形態を有することができる。シンカーループ面は、第１の内パイル高さを有���る１つ又は複数の第１の離散した内側領域を含む、複数のループ糸の離散した内側領域を画定し、また第１の内パイル高さよりも相対的に高い対照的な内パイル高さを有する１つ又は複数の他の離散した内側領域を画定し、１つ又は複数のループ糸の第１の離散した内側領域は、１つ又は複数の他の離散した内側領域とともに使用者の皮膚と、対向する布の内側ベース面との間の空気チャネルを画定し、それによって通気を促進するとともに使用者の皮膚との接触点の数を低減する。空気チャネルは複数の垂直チャネル、水平チャネル、対角チャネル、又はそれらの組み合わせを含む。空気チャネルは複数の交差チャネルを含んでもよい。複数のループ糸の離散した内側領域は、使用者の身体の１つ又は複数の所定の領域に対応するパターンに配置される。複数のループ糸の離散した内側領域は、第２の布部分の前面に、第２の布部分の背面に、又は第２の布部分の前面及び背面の両方に配置されてもよい。場合によっては、第２の布部分は両面織物を含む。両面織物は、第２の布部分の内側表面を画定する第１の表面を含むことができ、この内側表面は、第１の内パイル高さを有する１つ又は複数の第１の離散した内側領域を含む、複数のループ糸の離散した内側領域を画定し、また第１の内パイル高さよりも相対的に高い対照的な内パイル高さを有する１つ又は複数の他の離散した内側領域を画定し、１つ又は複数のループ糸の第１の離散した内側領域は、１つ又は複数の他の離散した内側領域とともに使用者の皮膚と、対向する布の内側ベース面との間の内側空気チャネルを画定し、それによって通気を促進するとともに使用者の皮膚との接触点の数を低減する。両面織物は、第２の布部分の外側表面を画定する第２の表面をさらに含み、この外側表面は複数のループ糸の離散した外側領域を画定し、このループ糸の離散した外側領域は、第１の外パイル高さを有する１つ又は複数の第１の離散した外側領域と、第１の外パイル高さよりも相対的に高い対照的な外パイル高さを有する１つ又は複数の他の離散した外側領域とを含み、ループ糸の離散した外側領域は、１つ又は複数の他の離散した外側領域とともに防弾チョッキの内側表面と、対向する布の外側ベース面との間の外側空気チャネルを画定し、それによって通気を促進するとともに防弾チョッキの内側表面との接触点の数を低減する。内側空気チャネル及び／又は外側空気チャネルは複数の垂直チャネル、水平チャネル、対角チャネル、又はそれらの組み合わせを含んでもよい。内側空気チャネル及び／又は外側空気チャネルは複数の交差チャネルを含んでもよい。複数のループ糸の離散した内側領域は、使用者の身体の１つ又は複数の所定の領域に対応するパターンに配置されてもよい。複数のループ糸の離散した内側領域及び外側領域は、第２の布部分の前面に、第２の布部分の背面に、又はその両方に配置されてもよい。
【０００７】
別の態様では、戦場用衣服システムは、防弾チョッキ要素と、チョッキ下着とを備える。チョッキ下着は、使用者の胴体上部領域を覆うように構成される伸縮性の低い布を含む第１の織布部分を含み、第１の織布部分は、防弾チョッキ要素によって防備されないままの第１の身体領域を覆って防弾チョッキ要素によって覆われる第２の身体遷移領域にまで延在する。チョッキ下着は、防弾チョッキ要素の下で使用者の身体の胴体下部領域を覆うように構成される伸縮可能な布を含む第２の織布部分をさらに含む。
【０００８】
この態様の好ましい実施態様は以下の追加の特徴のうちの１つ又は複数を含んでもよい。第１の織布部分は使用者の肩部領域を覆って肘の下、使用者の手首まで延在するように構成され、１対の布腕部を画定する。布腕部の少なくとも一方は銃弾を保持するように構成されるポケットを備える。第１の織布部分は織物構造を有する。第１の織布部分は、耐久撥水性（ＤＷＲ）、カムフラージュ、及び／又は赤外線低減の処理が為される。第２の織布部分は布に組み込まれる伸縮性材料及び／又は弾性材料の繊維を含む。第２の織布部分は毛羽立て内側表面を含む。毛羽立て内側表面は、毛羽立てシンカーループ面、ベロア面、カットループベロア面、又は毛羽立てしないループの形態に仕上げてもよい。毛羽立て内側表面は、第１の内パイル高さを有する１つ又は複数の第１の離散した内側領域と、第１の内パイル高さよりも相対的に高い対照的な内パイル高さを有する１つ又は複数の他の離散した内側領域とを含む、１つ又は複数のループ糸の離散した内側領域を画定し、１つ又は複数の第１の離散した内側領域は、１つ又は複数の他の離散した内側領域とともに使用者の皮膚と、対向する布の内側ベース面との間の内側空気チャネルを画定し、それによって通気を促進するとともに使用者の皮膚との接触点の数を低減する。第１の内パイル高さは、低いパイル、パイルがない、又はそれらの組み合わせである。対照的な内パイル高さは、高いパイル、低いパイル、又はそれらの組み合わせである。好ましくは、第１の内パイル高さを有する第１の離散した内側領域は、約１．０ｍｍ〜約３．０ｍｍの低いパイル高さに形成されるループ糸を含む。他の離散した内側領域は、約２．０ｍｍ〜最大約６．０ｍｍを超える範囲のパイル高さに形成されるループ糸を含む。内側空気チャネルは複数の垂直チャネル、水平チャネル、対角チャネル、又はそれらの組み合わせを含む。複数のループ糸の離散した内側領域は、脊髄領域、脊椎、背領域、上背領域、下背領域、前胸領域、乳房領域、及び腹領域から成る群から選択される使用者の身体の１つ又は複数の所定の領域に対応する。ループ糸の離散した内側領域は、第２の織布部分の前面に、織布部分の背面に、又は織布部分の前面及び背面の両方に配置することができる。第２の織布部分はまた、毛羽立て外側表面を含んでもよい。好ましくは、毛羽立て外側表面は１つ又は複数のループ糸の離散した外側領域を画定し、このループ糸の離散した外側表面は第１の外パイル高さを有する１つ又は複数の第１の離散した外側領域と、第１の外パイル高さよりも相対的に高い対照的な外パイル高さを有する１つ又は複数の他の離散した外側領域とを含み、１つ又は複数の第１の離散した外側領域は、他の離散した外側領域とともに防弾チョッキ要素の内側表面と、対向する布の外側ベース面との間の外側空気チャネルを画定し、それによって通気を促進するとともに防弾チョッキ要素の内側表面との接触点の数を低減する。第１の外パイル高さは、低いパイル、パイルがない、又はそれらの組み合わせであってもよく、好ましくは約１．０ｍｍ〜約３．０ｍｍのパイル高さである。対照的な外パイル高さは、高いパイル、低いパイル、又はそれらの組み合わせであってもよく、好ましくは約２．０ｍｍ〜最大約６．０ｍｍを超える範囲内である。外側空気チャネルは複数の水平チャネルと、垂直チャネルとを含んでもよい。複数のループ糸の内側領域及び外側領域は、第２の織布部分の前面に、第２の織布部分の背面に、又は第２の織布部分の前面及び背面に配置されてもよい。
【０００９】
さらに別の態様では、戦場用合成布防弾チョッキ下着を形成する方法は、伸縮性が低いか又は伸縮性がない布から使用者の身体の胴体上部領域に対応する第１の布部分を形成するステップであって、第１の布部分は防弾チョッキによって防備されないままの第１の身体領域を覆って防弾チョッキによって覆われる第２の身体遷移領域にまで延在する、第１の布部分を形成するステップと、伸縮可能な布から使用者の身体の胴体下部領域に対応する第２の布部分を形成するステップであって、第２の布部分は防弾チョッキの下で使用者の身体の胴体下部領域を覆うように構成される、第２の布部分を形成するステップと、第１の布部分と第２の布部分とをともに接合するステップであって、それによって戦場用合成布衣服を形成する、接合するステップとを含む。
【００１０】
本方法の好ましい実施態様は、以下の追加の特徴のうちの１つ又は複数を含んでもよい。第２の布部分を形成するステップは、合成糸及び／又は合成繊維、天然糸及び／又は天然繊維、及びそれらの組み合わせから成る群から選択される糸及び／又は繊維を組み合わせることであって、それによって編物を形成する、組み合わせることを含む。第２の布部分を形成するステップは、糸及び／又は繊維を組み合わせることであって、それによって添え糸編ジャージ編物、ダブルニット編物、又はシングルジャージ編物を形成する、組み合わせることを含む。第２の布部分を形成するステップは、糸及び／又は繊維を組み合わせることであって、それによって添え糸編シンカーループを有する片面添え糸編織物を形成する、組み合わせることを含む。好ましくは、片面織物を形成することは、片面添え糸編織物の第１の表面を仕上げることであって、それによって１つ又は複数のループ糸の離散した内側領域を形成し、第１の内パイル高さを有する１つ又は複数の第１の離散した内側領域を形成すること、及び、第１の内パイル高さよりも相対的に高い対照的な内パイル高さを有する１つ又は複数の他の離散した内側領域を形成することを含む、仕上げることを含み、１つ又は複数の第１の離散した内側領域は、１つ又は複数の他の離散した内側領域とともに使用者の皮膚と、対向する布の内側ベース面との間の内側空気チャネルを画定し、それによって通気を促進するとともに使用者の皮膚との接触点の数を低減する。片面添え糸編織物の第１の表面は、第２の布服の内側表面を画定してもよい。１つ又は複数のループ糸の離散した内側領域は、使用者の身体の１つ又は複数の所定の領域に対応するパターンに形成してもよい。ループ糸の離散した内側領域は、第２の織布部分の前面に、第２の織布部分の背面に、又は第２の織布部分の前面及び背面に配置されてもよい。第２の布部分を形成するステップは、糸及び／又は繊維を組み合わせることであって、それによって両面織物を形成する、組み合わせることを含む。場合によっては、両面織物を形成することは、両面織物の内側表面を仕上げることであって、それによって１つ又は複数のループ糸の離散した内側領域を形成し、第１の内パイル高さを有する１つ又は複数の第１の離散した内側領域を形成すること、及び、第１の内パイル高さよりも相対的に高い対照的な内パイル高さを有する１つ又は複数の他の離散した内側領域を形成することを含む、仕上げることを含み、１つ又は複数の第１の離散した内側領域は、１つ又は複数の他の離散した内側領域とともに使用者の皮膚と、対向する布の内側ベース面との間の内側空気チャネルを画定し、それによって通気を促進するとともに使用者の皮膚との接触点の数を低減する。両面織物を形成することは、両面織物の外側表面を仕上げることであって、それによって１つ又は複数のループ糸の離散した外側領域を形成し、第１の外パイル高さを有する１つ又は複数の第１の離散した外側領域、及び第１の外パイル高さよりも相対的に高い対照的な外パイル高さを有する１つ又は複数の他の離散した外側領域を形成することを含む、仕上げることをさらに含み、１つ又は複数の第１の離散した外側領域は、他の離散した外側領域とともに防弾チョッキの内側表面と、対向する布の外側ベース面との間の外側空気チャネルを画定し、それによって通気を促進するとともに防弾チョッキの内側表面との接触点の数を低減する。両面織物の内側表面は第２の布服の内側表面を画定してもよく、両面織物の外側表面は第２の布服の外側表面を画定する。ループ糸の離散した内側領域及び外側領域は、第２の布部分の前面に、第２の布部分の背面に、又は第２の布部分の前面及び背面の両方に配置されてもよい。
【００１１】
戦場用防弾チョッキ下着は、防弾チョッキによって覆われる領域の下の内層と共に、外層（防弾チョッキによって防備されないままである）として着用者に供給される必要がある衣服層としてのみ何度も使用される。したがって、使用される戦場用防弾チョッキ下着が丈夫で、耐久性がある、伸縮性が低いか又は伸縮性がない外層と、十分な通気を提供する、快適で、伸縮可能な内層を提供することのような、複数の要件を供給する必要がある。
【００１２】
本発明の１つ又は複数の実施の形態の詳細を添付の図面及び以下の記載において説明する。本発明の他の特徴、目的、及び利点はその記載及び図面、並びに特許請求の範囲から明らかになるであろう。
【発明を実施するための最良の形態】
【００１３】
［詳細な説明］
図１、図１Ａ、図２Ａ、図２Ｂ、図５Ａ、及び図５Ｂを参照すると、戦場用衣服１０は第１の布部分１２と、第２の布部分１４とを有する。各布部分は単層の布から成る。第１の布部分１２及び第２の布部分１４はそれぞれ、たとえば、それぞれ異なる周囲条件及び／又は異なる身体活動に適うように変更可能である２つ以上の異なる材料から形成することができる。第１の布部分１２は伸縮性が低いか又は伸縮性がない布から形成され、防弾チョッキ１６によって防備されないままの第１の身体領域１２’を含む使用者の身体の胴体上部領域を覆って防弾チョッキによって覆われる第２の身体遷移領域１２’’にまで延在するように構成される。図２Ａ及び図５Ａに示されるように、第１の布部分１２は使用者の肩部領域を覆って肘の下、使用者の手首にまで延在し、使用者／兵士がたとえば予備の銃弾及び他の実用品を保持することを可能にする、腕部に縫い付けられるポケット１８を備える。伸縮性が低いか又は伸縮性がない布は、好ましくは低伸縮性織物材料又は別の非伸縮性材料である。伸縮性がないか又は伸縮性が低い材料、たとえば衣服の上部分１２の同様な織布から形成される戦場用衣服１０は、兵士が、織物の袖上に縫い付けられたポケット内に配置される、より多くの銃弾又は他の用具を、布を伸ばすことも衣服のフィッティングを歪めることもなく保持することを可能にする。そうでなく、衣服の上部分１２がニット又は過剰に伸縮可能な織布から形成されるとしたら、ポケット１８内に装着される重い銃弾は衣服のフィッティングを歪め、しわ及び折れを生じ、防弾チョッキの縁又は頸部分に擦傷を生じるであろう。伸縮性が低いか又は伸縮性がないことに加え、第１の布部分１２の露出した領域１２’は丈夫で且つ耐久性がある必要があり、耐久撥水性、カムフラージュ、及び／又は赤外線低減の処理が為されてもよい。好ましくは、第１の布部分１２は難燃性を有する材料（たとえば、メタ系アラミド（ＮＯＭＥＸ（登録商標）等）、ＰＢＩ（登録商標）、メラミン、難燃コットン、難燃ナイロン、難燃処理コットン／ナイロン混紡物、及びそれらの組み合わせ）、又は炎に曝されるときに非融解性、非滴落性を有する材料から形成される。
【００１４】
図１、図１Ａ、図２Ａ、図２Ｂ、図５Ａ、及び図５Ｂを引き続き参照すると、第２の布部分１４は使用者の身体の胴体下部領域を覆い、防弾チョッキ１６の下にフィットするように設計される。第２の布部分１４は伸縮可能な布から形成され、防弾チョッキ１６の下で使用者の身体の胴体下部領域を覆うように構成される。伸縮可能な布は好ましくはニット構造から成り、より好ましくは良好な撥水性、良好な水分管理、及び良好な空気透過性を有する添え糸編ニット構造から成る。加えて、わずかにフィットする布の胴体下部領域を形成することにより、折れ、しわ、及び膨らみが最小限に抑えられ、それによって着用者の皮膚の擦傷を最小限に抑えられる。添え糸編ニット構造は、たとえば意図される用途に従って調整することができる異なる糸の組み合わせで作成することができる。たとえば、温暖な気候に適用するために、添え糸編ニット構造はナイロン（又は難燃）糸とコットン糸との組み合わせを含むことができ、ナイロン（又は難燃）糸は、それらが主に布の加工表面に見られるように編成され、コットン糸はそれらが主に布の加工裏面に見られるように編成される。寒冷な気候に適用するために、たとえば、添え糸編ニット構造はナイロン（又は難燃）糸とウール糸との組み合わせを含むことができ、ナイロン（又は難燃）糸はそれらが主に布の加工表面に見られるように編成され、ウール糸は主に布の加工裏面に見られる。ウール糸は、使用者の皮膚と、対向する布の内側ベース面との間の領域の接線空気流（tangential air flow）を損なうことなく、コットン糸と比べて高い断熱性を提供し、それによって防弾チョッキの下での発熱を最小限に抑える。「加工表面」及び「加工裏面」という用語は、一般的に編機を出るときの布の面を指す。本明細書において用いられる場合、加工表面という用語は第２の布部分の外側表面も指す。
【００１５】
図１Ｂに示されるように、第２の布部分１４は添え糸編ジャージ構造又はダブルニット構造を有してもよい。この実施形態では、第２の布部分１４は滑らかな内側表面１３（使用者の皮膚に接する表面）と、滑らかな外側表面１５（防弾チョッキに対して露出する表面）とを有する。適した材料はMalden Mills Industries社によって製造されるＰＯＷＥＲ  ＤＲＹ（登録商標）織布を含む。
【００１６】
図１Ｃは、第２の布部分１４が、たとえば、これもMalden Mills Industries社によって製造されるＰＯＷＥＲ  ＳＴＲＥＴＣＨ（登録商標）織布中のもの等の片面添え糸編構造を有する代替的な一実施形態を示す。この実施形態によれば、第２の布部分１４の第１の表面１７が（たとえばループ形態１９に、又はベロア（毛羽立て）仕上げに、又はカットループベロア１９’に）仕上げられ、第２の布部分１４の内側表面を画定する。仕上げ面１９、１９’は使用者の皮膚に接し、向上した快適さ、水分管理、並びに向上した空気の移動及び通気性を提供する。滑らかな外側表面１５は防弾チョッキに対して露出する。代替的に、図１Ｄに示されるように、第１の表面１７は対照的なパイル高さのパターンに仕上げられてもよく、それによって空気の移動及び通気性を向上するためのチャネル２１が形成される。代替的な一実施形態では、対照的なパイル高さのパターンは図２Ａ、図３、図５Ａ、及び図６に示されるような使用者の身体の１つ又は複数の所定の領域に対応するように調整され得る。
【００１７】
加えて、第２の布部分１４は、上述のように、断熱性を高めるために内側表面及び外側表面の両方を仕上げられてもよい。たとえば、図２Ａ〜図７は、第２の布部分の内側表面及び外側表面並びに前面及び背面に配置される、複数のループ糸の離散した領域２２、２４、３２、３４を示す。第２の布部分１４の内側表面及び外側表面並びに前面及び背面上の対照的なパイル高さの離散した領域は、快適度を高め、空気の移動を向上して防弾チョッキ１６の下の熱応力を低減する。たとえば、図２Ａ及び図５Ａに示されるように、複数のループ糸の離散した内側領域２０は、第２の布部分の内側表面上の、たとえば、脊髄領域、脊椎、背領域、上背領域、下背領域、前胸領域、乳房領域、及び腹領域を含む、使用者の身体の所定の領域に対応して、使用者の皮膚と、対向する布の内側ベース面との間に配置される。ループ糸の離散した内側領域２０は、第１のパイル高さを有する複数の第１の離散した内側領域２２と、第１の離散した内側領域２２のパイル高さよりも相対的に高い対照的なパイル高さを有する複数の他の離散した内側領域２４とを含む。たとえば、第１のパイル高さは、低いパイル、パイルがない、又はそれらの組み合わせであってもよい。好ましくは、低いパイル高さは、約１．０ｍｍ〜約３．０ｍｍである。対照的なパイル高さは、高いパイル、低いパイル、又はそれらの組み合わせであってもよく、好ましくは約２．０ｍｍ〜最大約６．０ｍｍを超える。
【００１８】
図３及び図６を参照すると、第１の離散した内側領域２２は、他の離散した内側領域２４とともに使用者の皮膚と、対向する布の内側ベース面との間の空気チャネルを画定し、それによって矢印２６によって示される通気を促進するとともに使用者の皮膚との接触点の数を低減する。
【００１９】
加えて、図２Ｂ及び図５Ｂは、複数のループ糸の離散した外側領域３０がその上に配置され、防弾チョッキの内側表面と、対向する布の外側ベース面との間にフィットするように構成される、第２の布部分の外側表面を示す。ループ糸の離散した外側領域３０は、第１のパイル高さを有する複数の第１の離散した外側領域３２と、第１の離散した外側領域３２のパイル高さよりも相対的に高い対照的なパイル高さを有する複数の他の離散した外側領域３４とを含む。たとえば、第１のパイル高さは、低いパイル、パイルがない、又はそれらの組み合わせであってもよい。好ましくは、低いパイル高さは、約１．０ｍｍ〜約３．０ｍｍである。対照的なパイル高さは、高いパイル、低いパイル、又はそれらの組み合わせであってもよく、好ましくは約２．０ｍｍ〜最大約６．０ｍｍを超える。図４及び図７を参照すると、第１の離散した外側領域３２は、他の離散した外側領域３４とともに防弾チョッキ１６の内側表面と、対向する布の外側ベース面との間の空気チャネルを画定し、それによって矢印３６によって示される通気を促進するとともに防弾チョッキの内側表面との接触点の数を低減する。
【００２０】
多数の実施形態を説明した。それにもかかわらず、本開示の精神及び範囲から逸脱することなくさまざまな修正を行うことができることが理解されるであろう。たとえば、糸及び／又は繊維の組み合わせに適した任意の手法によって第２の布要素を製造し、対照的なパイル高さを有する領域及び／又はパイルのない領域を形成してもよい。伸縮性を高めるために、第２の布部分は編糸に組み込まれる伸縮性材料及び／又は弾性材料の繊維を有してもよい。第１の布部分及び第２の布部分は所定の通気性を有してもよい。たとえば、第１の布部分は約０ＣＦＭ〜約２００ＣＦＭの所定の通気性を有してもよく、第２の布部分は約１００ＣＦＭを超える所定の通気性を有してもよい。したがって、他の実施形態は添付の特許請求項の範囲内にある。
【図面の簡単な説明】
【００２１】
【図１】戦場用衣服及び防弾チョッキシステムの正面斜視図である。
【図１Ａ】戦場用衣服及び防弾チョッキシステムの背面斜視図である。
【図１Ｂ】添え糸編ジャージ構造又はダブルニット構造を有する戦場用衣服の第２の布部分の断面図である。
【図１Ｃ】シングルジャージ構造を有する戦場用衣服の第２の布部分の断面図である。
【図１Ｄ】空気チャネルを有する片面構造を有する戦場用衣服の第２の布部分の断面図である。
【図２Ａ】第１のパイル高さを有する複数の第１の離散した内側領域と、第１のパイル高さよりも相対的に高い対照的なパイル高さを有する複数の他の離散した内側領域とを含む、衣服の内側前面上の複数のループ糸の離散した領域を示す、防弾チョッキの下に着用する戦場用衣服の正面斜視図である。
【図２Ｂ】第１のパイル高さを有する複数の第１の離散した外側領域と、第１のパイル高さよりも相対的に高い対照的なパイル高さを有する複数の他の離散した外側領域とを含む、衣服の外側前面上の複数のループ糸の離散した領域を示す、防弾チョッキの下に着用する戦場用衣服の正面斜視図である。
【図３】衣服の内側前面上の複数のループ糸の離散した領域によって使用者の皮膚と、対向する布の内側ベース面との間に形成されるチャネルを通る気流の流れを示す、戦場用衣服の正面斜視図である。
【図４】衣服の外側前面上の複数のループ糸の離散した領域によって防弾チョッキの内側表面と、対向する布の外側ベース面との間に形成されるチャネルを通る気流の流れを示す、戦場用衣服及び防弾チョッキシステムの正面斜視図である。
【図５Ａ】第１のパイル高さを有する複数の第１の離散した内側領域と、第１のパイル高さよりも相対的に高い対照的なパイル高さを有する複数の他の離散した内側領域とを含む、衣服の内側背面上の複数のループ糸の離散した領域を示す、防弾チョッキの下に着用する戦場用衣服の背面斜視図である。
【図５Ｂ】第１のパイル高さを有する複数の第１の離散した外側領域と、第１のパイル高さよりも相対的に高い対照的なパイル高さを有する複数の他の離散した外側領域とを含む、衣服の外側背面上の複数のループ糸の離散した領域を示す、防弾チョッキの下に着用する戦場用衣服の背面斜視図である。
【図６】衣服の内側背面上の複数のループ糸の離散した領域によって使用者の皮膚と、対向する布の内側ベース面との間に形成されるチャネルを通る気流の流れを示す、戦場用衣服の背面斜視図である。
【図７】衣服の外側背面上の複数のループ糸の離散した領域によって防弾チョッキの内側表面と、対向する布の外側ベース面との間に形成されるチャネルを通る気流の流れを示す、戦場用衣服及び防弾チョッキシステムの背面斜視図である。
【図１】
0005112745.tif 000002
【図１Ａ】
0005112745.tif 000003
【図１Ｂ】
0005112745.tif 000004
【図１Ｃ】
0005112745.tif 000005
【図１Ｄ】
0005112745.tif 000006
【図２Ａ】
0005112745.tif 000007
【図２Ｂ】
0005112745.tif 000008
【図３】
0005112745.tif 000009
【図４】
0005112745.tif 000010
【図５Ａ】
0005112745.tif 000011
【図５Ｂ】
0005112745.tif 000012
【図６】
0005112745.tif 000013
【図７】
0005112745.tif 000014